(57)【要約】【課題】一つの多面体に取り付けるＲＦタグをユーザ側でカスタマイズできる多面体形状のデバイスを提供することを課題とする。  【解決手段】タスク起動デバイス１は，４つ以上の多角形面１００で囲まれた立体物である多面体の形態をなし，多面体は，多角形面１００を有する単位構成部材１０を多面体の面数だけ組み合わせた構造になっており，少なくとも一つの単位構成部材１０には，端末装置が実行可能なタスクを呼び出すための呼び出しコードを格納したＲＦタグ１１と，タスクを示す印刷情報１１０が設けられている。【選択図】図５
2020077053.tif 000002
【特許請求の範囲】
【請求項１】
４つ以上の多角形面で囲まれた立体物である多面体の形態をなし，前記多面体は，前記多角形面を有する単位構成部材を前記多面体の面数だけ組み合わせた構造になっており，少なくとも一つの前記単位構成部材に，端末装置が実行可能なタスクを呼び出すための呼び出しコードを格納したＲＦタグと，前記タスクを示す印刷情報を設けたことを特徴とするタスク起動デバイス。
【請求項２】
前記単位構成部材は，前記多角形面を備えた錐体の形状をなし，前記多角形面に前記ＲＦタグと前記印刷情報を設けたことを特徴とする，請求項１に記載のタスク起動デバイス。
【請求項３】
前記単位構成部材の前記多角形面と連設している側面の少なくとも一つに，他の前記単位構成部材の前記側面と着脱自在に接合する接合手段を設けたことを特徴とする，請求項２に記載したタスク起動デバイス。
【請求項４】
前記タスク起動デバイスの形状を立方体とし，前記単位構成部材の形状を四角錐に沿う形状にしたことを特徴とする，請求項２に記載したタスク起動デバイス。
【請求項５】
前記タスク起動デバイスの形状を立方体とし，前記単位構成部材の形状を四角錐に沿う形状にし，前記接合手段として永久磁石を設けたことを特徴とする，請求項３に記載したタスク起動デバイス。
【請求項６】
端末装置が実行可能なタスクを呼び出すための呼び出しコードを格納したＲＦタグと，前記タスクを示す印刷情報を設け，所定の数を組み合わせた際に，前記所定の数の面を有する多面体を形成可能な単位構成部材。
【請求項７】
多角形面を備えた錐体の形状をなし，前記多角形面に前記ＲＦタグと前記印刷情報を設けたことを特徴とする，請求項６に記載の単位構成部材。
【請求項８】
前記多角形面と連設している側面の少なくとも一つに，所定の数を組み合わせて前記多面体を形成した際に隣接する他の前記側面と着脱自在に接合する接合手段を設けたことを特徴とする，請求項７に記載の単位構成部材。
【請求項９】
前記多面体を立方体とし，前記多角形面を備えた錐体の形状を四角錐に沿う形状にしたことを特徴とする，請求項７に記載した単位構成部材。
【請求項１０】
前記多面体の形状を立方体とし，前記多角形面を備えた錐体の形状を四角錐に沿う形状にし，前記接合手段として永久磁石を設けたことを特徴とする，請求項８に記載した単位構成部材。
【発明の詳細な説明】
【技術分野】
【０００１】
本発明は，近距離無線通信技術(NFC: Near Field Communication)に対応したＲＦタグを利用した発明である。
【背景技術】
【０００２】
近距離無線通信技術に対応したＲＦタグは，個人認証や自動識別の分野ばかりでなく，ＮＦＣに対応した端末装置（例えば，スマートフォンやタブレットコンピュータ）が有するタスク（例えば，特定のウェブページの表示やＳＮＳへの投稿）起動にも以前より利用されている（例えば，特許文献１）。
【０００３】
基本的に，端末装置のタスク起動に用いる一つのＲＦタグは，端末装置が有する一つのタスクに対応するため，ＲＦタグを用いて起動可能なタスクが複数ある場合，ＲＦタグにより起動可能なタスクごとにＲＦタグを用意することが必要になる。
【０００４】
ＲＦタグの形態はカード形態が一般であるが，カード形態のＲＦタグを複数枚用意すると，少なくとも一枚のＲＦタグをユーザが紛失してしまう可能性があるため，端末装置のタスク起動に用いる複数のＲＦタグを一つの物体に取り付けることが好適である。
【０００５】
複数のＲＦタグを一つの物体に取り付ける手法としては，複数のＲＦタグを一枚のパネルにマトリクス状に取り付ける手法（例えば，特許文献２）や，多面体の面に一つのＲＦタグを取り付ける手法（例えば，特許文献３）が既に知られている。
【先行技術文献】
【特許文献】
【０００６】
【特許文献１】特表２０１０−５０９８２６号公報
【特許文献２】特開２０１１−１００２４３号公報
【特許文献３】特開特開２０１４−１４６０８９号公報
【発明の概要】
【発明が解決しようとする課題】
【０００７】
タスク起動に用いる複数のＲＦタグを多面体の面にそれぞれ取り付けることで，複数のＲＦタグを取り付ける物体の省スペース化を図ることができるが，複数のＲＦタグを多面体に収める従来技術では，一つの多面体に取り付けるＲＦタグをユーザ側でカスタマイズできなかった。タスク起動に用いる複数のＲＦタグを収めた多面体を生活サポートの用途に用いる場合，一つの多面体に取り付けるＲＦタグをユーザ側でカスタマイズできた方がユーザの利便性は向上する。
【０００８】
そこで，本発明は，一つの多面体に取り付けるＲＦタグをユーザ側でカスタマイズできる多面体形状のデバイスなどを提供することを課題とする。
【課題を解決するための手段】
【０００９】
上述した課題を解決する第１発明は，４つ以上の多角形面で囲まれた立体物である多面体の形態をなし，前記多面体は，前記多角形面を有する単位構成部材を前記多面体の面数だけ組み合わせた構造になっており，少なくとも一つの前記単位構成部材に，端末装置が実行可能なタスクを呼び出すための呼び出しコードを格納したＲＦタグと，前記タスクを示す印刷絵柄を設けたことを特徴とするタスク起動デバイスである。前記タスク起動デバイスの組み立て易さを考慮すると，前記単位構成部材を，前記多角形面を備えた錐体の形状とし，前記多角形面に前記ＲＦタグと前記印刷情報を設けることが望ましい。更に，前記タスク起動デバイスをより組み立て易くするために，前記単位構成部材の前記多角形面と連設している側面の少なくとも一つに，他の前記単位構成部材の前記側面と着脱自在に接合する接合手段を設けることが望ましい。前記接合手段を設けることで，前記タスク起動デバイスの組み立てる作業が容易になるばかりか，前記タスク起動デバイスを組み直すこともできる。机などの上に置いた前記タスク起動デバイスの安定性を考えると，前記タスク起動デバイスの形状を錐体の一つである立方体とし，前記単位構成部材の形状を四角錐に沿う形状にすることが好適である。また，前記タスク起動デバイスの形状を立方体とした際，他の前記単位構成部材の前記側面と着脱自在に接合する接合手段を永久磁石とすることが望ましい。
【００１０】
更に，第２発明は，端末装置が実行可能なタスクを呼び出すための呼び出しコードを格納したＲＦタグと，前記タスクを示す印刷情報を設け，所定の数を組み合わせた際に，前記所定の数の面を有する多面体を形成可能な単位構成部材である。前記単位構成部材の組み立て易さを考慮すると，前記多角形面を備えた錐体の形状をなし，前記多角形面に前記ＲＦタグと前記印刷情報を設けることが望ましい。更に，更に，前記単位構成部材の組み立て易さをよりよくするために，前記多角形面と連設している側面の少なくとも一つに，所定の数を組み合わせて前記多面体を形成した際に隣接する他の前記側面と着脱自在に接合する接合手段を設けることが望ましい。前記多面体の安定性を考えると，前記多面体を立方体とし，前記多角形面を備えた錐体の形状を四角錐に沿う形状にすることが望ましい。前記多面体の形状を立方体とした際，前記多角形面を備えた錐体の形状を四角錐に沿う形状にし，前記接合手段として永久磁石を設けることが望ましい。なお，第２発明は，第１発明に係るタスク起動デバイスの組み立てに必要な単位構成部材である。
【発明の効果】
【００１１】
本発明によれば，タスク起動デバイスの組み立てに必要な個数（ここでは，６個）を上回る個数（例えば，数十個）の単位構成部材を用意し，それぞれの単位構成部材に取り付けるＲＦタグの呼び出しコードを異ならせれば，ユーザは，タスク起動デバイスの組み立てに用いる単位構成部材を任意に選択することで，タスク起動デバイスに対応させる端末装置のタスクを任意に設定できる。
【図面の簡単な説明】
【００１２】
【図１】本実施形態に係るタスク起動デバイスの外観を説明する図。
【図２】タスク起動デバイスの構造を説明する図。
【図３】単位構成部材を説明する図。
【図４】単位構成部材の多角形面に取り付けるＲＦタグを説明する図。
【図５】タスク起動デバイスの組み立て方を説明する図。
【図６】タスク起動デバイスの利用方法について説明する図。
【図７】端末装置をかざすタスク起動デバイスの面と，端末装置で起動するタスクを説明する図。
【発明を実施するための形態】
【００１３】
ここから，本発明の好適な実施形態を記載する。なお，以下の記載は本発明の技術的範囲を束縛するものでなく，理解を助けるために記述するものである。
【００１４】
図１は，本実施形態に係るタスク起動デバイス１の外観を説明する図である。タスク起動デバイス１は，４つ以上の多角形面１００で囲まれた立体物である多面体の形態をなしており，図１で図示したように，本実施形態に係るタスク起動デバイス１は，６つの四角形状（正方形になる）の多角形面１００で囲まれた立方体の形態をなしている。
【００１５】
本実施形態では，タスク起動デバイス１の少なくとも１面に，ＮＦＣに対応した端末装置が実行可能なタスクの内容を示す印刷情報１１０と，この印刷情報１１０に対応するタスクを呼び出すための呼び出しコードを格納したＲＦタグ１１が設けられる。図１では，タスクの内容を示す印刷情報１１０をアイコンのような図柄にしているが，タスクの内容を示す印刷情報１１０は文字でもよい。
【００１６】
図１では，３面が見えるようにタスク起動デバイス１を図示し，タスク起動デバイス１の３つの多角形面１００はそれぞれ異なるタスクに対応している。図１において，タスク起動デバイス１の上面になる多角形面１００には買い物かごの印刷情報１１０が設けられており，タスク起動デバイス１の上面はショッピングに係るタスク（例えば，ネットショッピングの画面を表示するタスク）に対応している。また，タスク起動デバイス１の左面になる多角形面１００には送金の印刷情報１１０が設けられており，タスク起動デバイス１の左面は送金サービスに係るタスク（例えば，送金の画面を表示するタスク）に対応している。更に，タスク起動デバイス１の右面になる多角形面１００にはＳＮＳアイコンの印刷情報１１０が設けられており，タスク起動デバイス１の右面はＳＮＳに係るタスク（例えば，ＳＮＳへの写真投稿の画面を表示するタスク）に対応している。
【００１７】
図２は，タスク起動デバイス１の構造を説明する図である。一つのタスク起動デバイス１に取り付けるＲＦタグ１１をユーザ側でカスタマイズできるためには，端末装置が実行可能なタスクに対応したＲＦタグ１１をユーザが選択してタスク起動デバイス１に設けることができるようにすることが必要になる。本実施形態に係るタスク起動デバイス１は，４つ以上の多角形面１００で囲まれた立体物である多面体の形態をなし，多角形面１００と多角形面１００のそれぞれの頂点から多面体の中心に伸びる複数の直線で形成される錐体に沿う形状の単位構成部材１０を所定の数（多面体の面数になる）だけ組み合わせた構造になっている。なお，多角形面１００と多角形面１００のそれぞれの頂点から多面体の中心に伸びる複数の直線で形成される錐体に沿う形状とは，タスク起動デバイス１の体積を面数に応じ等分する錐体もしくはこの錐体の頂点付近を任意の形状で切り取った錐台を意味する。本実施形態におけるタスク起動デバイス１は立方体をなしているので，一つの単位構成部材１０は，多角形面１００が正方形の四角錐の頂点付近を水平に切り取った錐台になっており，タスク起動デバイス１は，合計で６つの単位構成部材１０が組み合わされた構造になっている。
【００１８】
図３は，本実施形態に係る単位構成部材１０を説明する図である。図３（ａ）は，本実施形態に係る単位構成部材１０の外観図，図３（ｂ）は，本実施形態に係る単位構成部材１０の上面図，そして，図３（ｃ）は，本実施形態に係る単位構成部材１０の底面図である。
【００１９】
単位構成部材１０は，端末装置が実行可能なタスクを呼び出すための呼び出しコードを格納したＲＦタグ１１と，タスクを示す印刷情報１１０が設けられ，所定の数を組み合わせた際に，所定の数の面を有する多面体を形成可能な部材で，本実施形態では、多角形面１００と，多角形面１００の辺と連設している複数の側面１０１を有している。実施形態に係るタスク起動デバイス１の形状は立方体であるため，図３（ａ）で図示したように，実施形態に係る単位構成部材１０の形状は，正方形の多角形面１００と多角形面１００のそれぞれの頂点から多面体の中心に伸びる４つの直線で形成される正四角錘に沿う四角錐台になっている。また，本実施形態に係る単位構成部材１０は四角錐台をなしているため，図３（ｂ）で図示したように，本実施形態に係る単位構成部材１０は合計で４つの側面１０１を有し，その形状は台形である。
【００２０】
単位構成部材１０は，多面体の一つの面になる多角形面１００と多角形面１００のそれぞれの頂点から多面体の中心に伸びる４つの直線で形成される錐体に沿う形状になっているので，単位構成部材１０の側面１０１は，タスク起動デバイス１の形状に組み合わせるときに他の単位構成部材１０の側面１０１と面接触する。
【００２１】
複数の単位構成部材１０を組み合わせて一つのタスク起動デバイス１を組み立てるには，隣接（面接触）する２つの側面１０１を接合（くっつける）ことが必要である。隣接する２つの側面１０１を接合する手法として接着剤または粘着剤を利用することができるが，他の単位構成部材１０の側面１０１と着脱自在に接合する接合手段を単位構成部材１０の側面１０１に設けることが望ましい。この接合手段としては再剥離可能な接着剤や面ファスナーを利用できるが，本実施形態では，タスク起動デバイス１の形状を立方体であるため，永久磁石１０２を接合手段に用いている。単位構成部材１０の側面１０１を他の単位構成部材１０の側面１０１と面接触させたとき，同じ極性の永久磁石１０２が向かい合うと，面接触させた２つの側面１０１を永久磁石１０２により固定できないので，図３（ｂ）で図示したように，本実施形態では，単位構成部材１０を上面からみたときＮ極とＳ極が交互に配列されるように，側面１０１の中心上に１つの永久磁石１０２を設けている。このように，永久磁石１０２を配列することで，単位構成部材１０の側面１０１を他の単位構成部材１０の側面１０１と面接触させたとき，異なる極性の永久磁石１０２が向かい合い，面接触させた２つの側面１０１を永久磁石１０２により固定できる。
【００２２】
図３（ｃ）で図示したように，本実施形態に係る単位構成部材１０の多角形面１００には，端末装置のタスクを呼び出すための呼び出しコードを格納した一つのＲＦタグ１１が備えられている。単位構成部材１０の形状はタスク起動デバイス１の形状に基づき一つに定まるため，タスク起動デバイス１の組み立てに必要な個数（ここでは，６個）を上回る個数（例えば，数十個）の単位構成部材１０を用意し，それぞれの単位構成部材１０に取り付けるＲＦタグ１１の呼び出しコードを異ならせれば，ユーザは，タスク起動デバイス１の組み立てに用いる単位構成部材１０を任意に選択することで，タスク起動デバイス１に対応させる端末装置のタスクを任意に決定できる。単位構成部材１０の多角形面１００にＲＦタグ１１を取り付ける手法は任意であるが，本実施形態では，ＲＦタグ１１の形状（ここではコイン状）に合わせた凹部１００ａを多角形面１００の中央部に加工し，この凹部にＲＦタグ１１を埋設している。
【００２３】
図４は，単位構成部材１０の多角形面１００に取り付けるＲＦタグ１１を説明する図で，図４（ａ）は，ＲＦタグ１１の表面を説明する図，図４（ｂ）は，ＲＦタグ１１の裏面を説明する図である。
【００２４】
本実施形態のＲＦタグ１１の形状はコイン状であるが，ＲＦタグ１１の形状は任意でよい。ＲＦタグ１１を取り付ける都合上，単位構成部材１０の材質は非金属であることが望ましく，単位構成部材１０の材質としてはプラスチックや木材が適している。
【００２５】
図４（ａ）で図示したように，ＲＦタグ１１の表面には，ＲＦタグ１１が格納している呼び出しコードを利用して呼び出すことのできるタスクを示す印刷情報１１０が印刷されている。また，図４（ｂ）で図示したように，ＲＦタグ１１の裏面には，コイル状のアンテナ１１２とこれに接続するＩＣチップ１１１が実装され，端末装置のタスクを呼び出すための呼び出しコードはＩＣチップ１１１のメモリに格納されている。ＩＣチップ１１１のメモリに格納する呼び出しコードは，端末装置のタスクを識別するための識別子のみでもよいが，端末装置のタスクを起動するときのパラメータを含ませることができる。なお， ＲＦタグ１１の通信距離が長いと，ユーザが意図していないＲＦタグ１１を端末装置が認識し，ユーザが意図していないタスクが端末装置で起動してしまうため，ＲＦタグ１１の通信距離が１ｃｍ程度になるようにアンテナ１１２を設計することが好適である。
【００２６】
図５は，タスク起動デバイス１の組み立て方を説明する図である。上述したように，本実施形態のタスク起動デバイス１は合計で６個の単位構成部材１０が組み合わされた構造になっている。６個の単位構成部材１０が組み合わされた構造のタスク起動デバイス１を組み立てる際，単位構成部材１０の側面１０１と他の単位構成部材１０の側面１０１を面接触させる作業を繰り返すことで，６個の単位構成部材１０から１つのタスク起動デバイス１を組み立てることができる。
【００２７】
本実施形態の場合，図５で図示したように，奥側の単位構成部材１０の側面１０１と下側の単位構成部材１０の側面１０１を面接触させ，永久磁石１０２を利用してこの２つの単位構成部材１０を固定することで，タスク起動デバイス１の２面が形成される。また，２つの単位構成部材１０の側面１０１の全面を面接触させた立体物の右側に現れている２つの側面１０１と右側の単位構成部材１０の２つの側面１０１を面接触させることで，タスク起動デバイス１の３面が形成される。更に，３つの単位構成部材１０の側面１０１を面接触させた立体物の左側に現れている２つの側面１０１と左側の単位構成部材１０（送金の印刷情報１１０が印刷された単位構成部材１０になる）の２つの側面１０１を面接触させることで，タスク起動デバイス１の４面が形成される。更に，４つの単位構成部材１０の側面１０１を面接触させた立体物の手前側に現れている３つの側面１０１と手前側の単位構成部材１０（ＳＮＳの印刷情報１１０が印刷された単位構成部材１０になる）の３つの側面１０１を面接触させることで，タスク起動デバイス１の５面が形成される。更に，４つの単位構成部材１０の側面１０１を面接触させた立体物の上側に現れている４つの側面１０１と上側の単位構成部材１０（買い物カゴの印刷情報１１０が印刷された単位構成部材１０になる）の４つの側面１０１を面接触させることで，タスク起動デバイス１が完成する。
【００２８】
最後に，本実施形態のタスク起動デバイス１の利用方法について説明する。図６は，本実施形態のタスク起動デバイス１の利用方法について説明する図である。タスク起動デバイス１の少なくとも１面には，ＮＦＣに対応した端末装置が実行可能なタスクの内容を示す印刷情報１１０と，この印刷情報１１０に対応するタスクを呼び出すための呼び出しコードを格納したＲＦタグ１１が設けられているため，図６で図示したように，ユーザ３は，ユーザ３が起動したい端末装置２のタスクに対応する印刷情報１１０に端末装置２をかざすだけで，ユーザ３が起動したいタスクを端末装置２で起動させることができる。
【００２９】
図７は，端末装置２をかざすタスク起動デバイス１の面と，端末装置２で起動するタスクを説明する図である。図１では，３つの多角形面１００が見えるようにタスク起動デバイス１を図示し，買い物かごの印刷情報１１０，送金の印刷情報１１０およびＳＮＳの印刷情報１１０が図示されている。
【００３０】
図７（ａ）は，買い物かごの印刷情報１１０に端末装置２がかざされたときの図である。買い物かごの印刷情報１１０に端末装置２がかざされると，端末装置２は，買い物かごの印刷情報１１０が設けられたタスク起動デバイス１の多角形面１００に設けられたＲＦタグ１１から呼び出しコードを読み取り，この呼び出しコードを利用して買い物に係る端末装置２のタスクを起動させる。なお，ＲＦタグ１１から呼び出しコードを読み取り，この呼び出しコードを利用して買い物に係る端末装置２のタスクを起動させる機能は，端末装置２のオペレーティングシステム，または，端末装置２にインストールされたアプリケーションの機能になる。
【００３１】
図７（ｂ）は，送金の印刷情報１１０に端末装置２がかざされたときの図である。送金の印刷情報１１０に端末装置２がかざされると，端末装置２は，送金の印刷情報１１０が設けられたタスク起動デバイス１の多角形面１００に設けられたＲＦタグ１１から呼び出しコードを読み取り，この呼び出しコードを利用して送金に係る端末装置２のタスクを起動させる。
【００３２】
図７（ｃ）は，ＳＮＳの印刷情報１１０に端末装置２がかざされたときの図である。ＳＮＳの印刷情報１１０に端末装置２がかざされると，端末装置２は，ＳＮＳの印刷情報１１０が設けられたタスク起動デバイス１の多角形面１００に設けられたＲＦタグ１１から呼び出しコードを読み取り，この呼び出しコードを利用してＳＮＳに係る端末装置２のタスクを起動させる。
【００３３】
本実施形態のタスク起動デバイス１の用途としては生活サポートの用途が適している。日本では高度高齢化社会が進むが，タスク起動デバイス１を利用することで，高齢者であっても，端末装置２をタスク起動デバイス１の一面にかざす操作のみで所望するサービスを簡単に受けられる。なお，ＲＦタグ１１に格納する呼び出しコードには，端末装置のタスクを起動するときのパラメータを含ませることができるので，ＲＦタグ１１に格納する呼び出しコードに工夫を施せば，タスク起動デバイス１を利用して，タスク起動デバイス１の開発メーカが提供するサービス機能のみならず，端末装置２に実装されている任意のサービス機能をタスクとして呼び出すことができる。
【符号の説明】
【００３４】
１    タスク起動デバイス
１０  単位構成部材
１００  多角形面
１０１  側面
１０２  永久磁石
１１  ＲＦタグ
１１０  印刷情報
【図１】
2020077053.tif 000003
【図２】
2020077053.tif 000004
【図３】
2020077053.tif 000005
【図４】
2020077053.tif 000006
【図５】
2020077053.tif 000007
【図６】
2020077053.tif 000008
【図７】
2020077053.tif 000009